(57)【要約】  フラットケーブルを、窓における縦枠と、引戸における框との間に存在する「すき間」に配設することができるフラットケーブル装置を提供する。さらに、窓枠における縦枠基板の面とそれに直角に位置する二つの凸条の夫々の面に対して、フラットケーブルを添わせて配設する場合、迅速にフラットケーブルを配設でき、作業能率が良くなるフラットケーブル装置を提供する。  第１シート材の一面に沿え付けてある同軸ケーブルは、第１シート材における長手方向に向けて蛇行状態になる態様で存置させてあり、上記第１シート材の一面に重合状に配置してある第２シート材は、第２シート材を第１シート材に接合すると共に上記蛇行状態の同軸ケーブルが第１シート材から分離することを防止する状態で、第１シート材に接合してある。
2009054476.tif 000002
【特許請求の範囲】
【請求項１】
テープ状の第１シート材と、
上記第１シート材の一面に沿え付けてある同軸ケーブルと、
上記第１シート材の一面に重合状に配置してある第２シート材とを備えるフラットケーブル装置において、
上記第１シート材の一面に沿え付けてある同軸ケーブルは、第１シート材における長手方向に向けて蛇行状態になる態様で存置させてあり、
上記第１シート材の一面に重合状に配置してある第２シート材は、第２シート材を第１シート材に接合すると共に上記蛇行状態の同軸ケーブルが第１シート材から分離することを防止する状態で、第１シート材に接合してあることを特徴とするフラットケーブル装置。
【請求項２】
テープ状の第１シート材と、
上記第１シート材の一面に沿え付けてある同軸ケーブルと、
上記第１シート材の一面に重合状に配置してある第２シート材とを備えるフラットケーブル装置において、
上記第１シート材の一面に沿え付けてある同軸ケーブルは、第１シート材における長手方向に向けて蛇行状態になる態様で存置させてあり、
上記第１シート材の一面に重合状に配置してある第２シート材は、塑性材料でもって構成され、上記蛇行状態になっている同軸ケーブルの両側において夫々同軸ケーブルの側面に接して位置させて、これにより上記蛇行状態にある同軸ケーブルを、第１シート材の一面に対して長手方向に伸長を可能な状態で連結してあることを特徴とするフラットケーブル装置。
【請求項３】
テープ状の第１シート材と、
上記第１シート材の一面に沿え付けてある同軸ケーブルと、
上記第１シート材の一面に重合状に配置してある第２シート材とを備えるフラットケーブル装置において、
上記テープ状の第１シート材と、テープ状の第２シート材は、夫々長手方向に伸長自在の材料で形成してあり、
上記第１シート材と第２シート材とは、中央部に空間を残す状態で、それらの両側は接合一体化してあり、
上記空間部には、上記同軸ケーブルを蛇行状態で存置させてあって、第１シート材及び第２シート材を長手方向に伸長したとき、上記同軸ケーブルは、蛇行状態の曲率を変えながら第１シート材及び第２シート材の伸長に対応するようにしてあることを特徴とするフラットケーブル装置。
【発明の詳細な説明】
【技術分野】
【０００１】
本発明は、フラットケーブル装置に関し、詳しくは、テープ状の１つのシート材の一面に同軸ケーブルを沿え付けて構成したフラットケーブル装置に関する。
【背景技術】
【０００２】
従来よりフラットケーブル装置は広く知られている（例えば、特許文献１参照）。上記特許文献１に示されるフラットケーブル装置は、本願の図４からも理解できるように、窓枠に近い屋外壁面にＴＶアンテナからの信号の受信を可能にしたコネクタを装着し、屋内側には、ＴＶ受信機に対してＴＶ信号を送ることができるようにされているコネクタを装着し、それらのコネクタ間は窓における縦枠と、引戸における框または枠との間に存在する「すき間」に配設する薄型フラット同軸ケーブル（フラットケーブル）で連結してある。上記特許文献１に示される薄型フラット同軸ケーブルの構造は次のように構成されている。
２枚のテープ状の被覆材（シート材）は重合状態にしてあり、それらの両側は接合されて一体化されている。さらに、上記２枚のテープ状の被覆材（シート材）の間には、中心導体と、その中心導体を包囲する絶縁体と、その絶縁体を包囲するAl−ポリエステルテープからなるフラット状の同軸ケーブルが介在されている。さらに、上記中心導体と絶縁体とからなる絶縁心線の左右両側にはドレイン線が沿設してある。上記ドレイン線の沿設は、薄型フラット同軸ケーブルに外部から衝撃がかかった場合、薄型フラット同軸ケーブルの絶縁心線にかかる衝撃が左右のドレイン線に分散され、絶縁心線が潰れ難く中心導体の断線を防止できるように、薄型フラット同軸ケーブルを固くて丈夫な構造にする為である。【０００３】
【特許文献１】実開平６−５０４３号
【発明の開示】
【発明が解決しようとする課題】
【０００４】
この従来のフラットケーブル装置では、上述のように絶縁心線の左右両側にドレイン線を沿設して固くて丈夫な構成にしているから、上記丈夫な薄型フラット同軸ケーブルを、窓枠における縦枠に形成されている狭い凹部の内面、即ち縦枠における縦枠基板の面と、その面から夫々直角方向に突出する二つの凸条における各対向面に対して、夫々なじみよく沿わせ得るように薄型フラット同軸ケーブルを直角に曲げながら、添わせていく作業は、極めて困難を伴う。しかも、その困難な作業を成し遂げるには予想以上に時間がかかるという問題点があった。
さらに、上記の作業を熟練していない工事人が行なう場合には、上記窓枠の縦枠基板の面とそれに直角に位置する凸条の面に、薄型フラット同軸ケーブルを直角に曲げた状態で添わせることができず、縦枠基板の面とそれに直角に位置する凸条の面に対して、薄型フラット同軸ケーブルが大きなカーブを描いた状態（隅部が浮き上がった状態）で、配設されてしまうおそれがある。
上記縦枠の凹部の隅部に対して、薄型フラット同軸ケーブルがカーブを描いた状態で配設された場合には、引戸を反復開閉すると、引戸の開閉の都度、引戸の框の角部が薄型フラット同軸ケーブルの円弧部分に当たって、例えば薄型フラット同軸ケーブルの被覆材やAl−ポリエステルテープを傷め、その傷めた個所から薄型フラット同軸ケーブルの内部に雑音信号が入るようになる等ケーブルの寿命を短縮する等の問題点があった。【０００５】
本件出願の目的は、フラットケーブルを、窓における縦枠と、引戸における框との間に存在する「すき間」に配設することができるフラットケーブル装置を提供しようとするものである。
他の目的は、窓枠における縦枠基板の面とそれに直角に位置する二つの凸条の夫々の面に対して、フラットケーブルを添わせて配設する場合、迅速にフラットケーブルを配設でき、作業能率が良くなるフラットケーブル装置を提供しようとするものである。
他の目的は、窓枠凹部における各隅部の角部に対して綺麗に添って配設でき、長寿命で使用することができるフラットケーブル装置を提供しようとするものである。
他の目的及び利点は図面及びそれに関連した以下の説明により容易に明らかになるであろう。
【課題を解決するための手段】
【０００６】
本発明におけるフラットケーブル装置は、第１シート材の一面に同軸ケーブルを蛇行状態になる態様で存置させ、第１シート材の一面に重合状に配置する第２シート材は、上記蛇行状態の同軸ケーブルが第１シート材から分離することを防止する状態で、第１シート材に接合してある点を特徴とする。
【発明の効果】
【０００７】
以上のように本発明のフラットケーブルＣにおける第１シート材の一面に沿え付ける同軸ケーブルは、蛇行状態の態様で第１シート材の一面に沿え付けてあるので、工事人が、例えば、窓枠３４における縦枠基板３７の面40ａとそれに直角に位置する二つの凸条３８、３８の夫々の面40ｂ、40ｂに対して、フラットケーブル装置ＡにおけるフラットケーブルＣを添わせて配設するとき、縦枠基板３７の面40ａに対して、フラットケーブルＣを添え付け、次に、フラットケーブルＣを、直角に位置する凸条３８の面40ｂに添わせる為に曲げる場合には、上記同軸ケーブルは、すでに曲がり易いように蛇行状態に曲がりくねらせてあるので、安易に、隅部４１の角部41ａに接近した状態に曲げながら密着させることができる特長がある。
このことは、工事人が、縦枠基板３７の面40ａとそれに直角に位置する凸条３８の面40ｂに対するフラットケーブルＣの添わせる作業を、従来に比べて迅速に行うことができる作業能率向上の効果がある。【０００８】
さらに本発明のフラットケーブルＣは、上記のように、窓枠凹部３９における各隅部４１、４１の角部41ａ、41ａに対して綺麗に添って配設されて、窓枠のすき間４３に収まった状態となるから、引戸４５を反復開閉しても、従来のように引戸４５の框４６が反復フラットケーブルＣに当たり、框４６における角部４８でフラットケーブルＣを傷める恐れは少なく、フラットケーブルＣの構造が軟弱に構成された場合でも、長寿命で使用することができる効果がある。【０００９】
さらに本発明にあって、第１シート材の一面に重合状に配置する第２シート材を塑性材料でもって構成した場合には、上記蛇行状態の同軸ケーブルの屈曲の自由度をより一層高めることができ、窓枠３４における縦枠基板３７の面40ａとそれに直角に位置する二つの凸条３８、３８の夫々の面40ｂ、40ｂに対して、フラットケーブルＣを添わせる場合の屈曲操作の度合いは、より軽くすることができる特長がある。これにより作業能率の向上が図れる効果がある。【００１０】
さらに本発明にあって、テープ状の第１シート材と、テープ状の第２シート材が夫々長手方向に伸長自在の材料で形成してある場合は、蛇行状態の同軸ケーブルを長手方向に向けて引き伸ばす場合、上記第１シート材、第２シート材が存在していても手軽に引き延ばすことができ、窓枠３４における縦枠基板３７の面40ａとそれに直角に位置する凸条３８の面40ｂに対する曲げ付け作業を楽にする効果がある。
【図面の簡単な説明】
【００１１】
【図１】図１は、フラットケーブル装置Ａを説明する為の正面図。
【図２】図２（Ａ）は、図１のＩＩ−ＩＩ線拡大断面図。図２（Ｂ）はフラットケーブルＣにおける同軸ケーブル１３の構成を説明する為の概略図。
【図３】図３（Ａ）〜（Ｃ）はフラットケーブルＣの動作を説明する為の概略正面図で、（Ａ）は常態を示し、（Ｂ）は長手方向へ伸長された状態、（Ｃ）は長手方向とは逆方向へ縮んだ状態を示す。図３（Ｄ）（Ｅ）は、図１、図２、図３（Ａ）〜（Ｃ）のフラットケーブルＣとは、第２シート材１１の構成に関わる点において異なる例を説明する為の概略図で、（Ｄ）は背面図、（Ｅ）は（Ｄ）のＥ−Ｅ線拡大断面図。
【図４】図４は、窓３３の屋外側から屋内側に亘って、フラットケーブル装置Ａを装着した状態を説明する為の概略横断面図（水平断面）で、引戸４５及び網戸５１は少し開いている状態を示す。（Ａ）は窓を横断して窓枠における下枠３５側を示す横断面図（壁と窓の一部を省略して示す）で、（Ｂ）は（Ａ）における凹部３９の部分拡大図。
【図５】図５は、窓３３の屋外側から屋内側に亘って、フラットケーブル装置Ａを装着した状態を説明する為の概略横断面図で、引戸４５及び網戸５１は閉じた状態を示す。（Ａ）は窓を横断して窓枠における下枠３５側を示す横断面図（壁と窓の一部を省略して示す）で、（Ｂ）は（Ａ）における凹部３９の部分拡大図。
【図６】図６は窓３３における縦枠３６の凹部３９部分を拡大して示す図で、縦枠３６に添って配設されたフラットケーブルＣが、万が一、縦枠３６における凹部３９の隅部４１でカーブを描いた状態（隅部の角部41ａから浮き上がった状態）で配設されてしまった場合の使用状態を説明する為の概略断面図。（Ａ）は引戸４５が開いた状態、（Ｂ）は引戸４５を閉じた状態を示す。
【図７】図７は、図１〜図３のフラットケーブルＣとは異なる例を説明する為の正面図。
【図８】図８は、図７のVIII−VIII線拡大断面図。
【図９】図９は、フラットケーブルCfの動作を説明する為の概略正面図で、（Ａ）は常態を示し、（Ｂ）は長手方向２０，２０へ伸長された状態を示す。
【図１０】図１０は、図７〜図９のフラットケーブルCfとは異なる例を説明する為の概略図。（Ａ）は一部破断した正面図。（Ｂ）は（Ａ）におけるXB−XB線端面図。（Ｃ）は一部破断した正面図。（Ｄ）は（Ｃ）におけるXD−XD線端面図。
【符号の説明】
【００１２】
Ａ・・・フラットケーブル装置、
Ｂ・・・コネクタ、
Ｃ・・・フラットケーブル、
２・・・筺体（ケース）、
３・・・フラットケーブル接続部、
４・・・接栓座、
５・・・取付部、
１０・・・第１シート材、
１１・・・第２シート材、
１３・・・同軸ケーブル、
１６・・・空間、
１８・・・接着テープ、
３０・・・壁、
３１・・・胴縁、
３３・・・窓、
３４・・・窓枠、
３５・・・下枠、
３６・・・縦枠、
３７・・・縦枠基板、
３８・・・凸条（横揺れ防止板）、
３９・・・凹部、
４０ａ・・・縦枠基板の面、
４０ｂ・・・凸条の面、
４１・・・隅部、
４１ａ・・・角部、
４３・４４・・・すき間、
４６・・・框、
４７・・・前面部、
４８・・・引戸角部
【発明を実施するための最良の形態】
【００１３】
以下本発明の実施の形態を図面を用いて説明する。
図１は、フラットケーブル装置Ａを説明する為の正面図で、二つのコネクタＢ、Ｂ間にはフラットケーブルＣが接続されている。フラットケーブルＣにおいて、１０は第１シート材を示す。１１は第２シート材で、第１シート材１０を破断して露出した状態を示す。１３は同軸ケーブルで、第１シート材１０と同軸ケーブル１３との間にある第２シート材の一部を除去して、同軸ケーブル１３が見える状態を示す。
図２（Ａ）は、図１のＩＩ−ＩＩ線拡大断面図で、フラットケーブル装置ＡにおけるフラットケーブルＣを説明する為の図。図２（Ｂ）はフラットケーブルＣにおける同軸ケーブル１３の構成を説明する為の概略図。
図３（Ａ）〜（Ｃ）はフラットケーブルＣの動作を説明する為に第１シート材１０と第２シート材の一部を除去した状態の概略正面図で、（Ａ）は常態を示し、（Ｂ）は長手方向２０，２０へ伸長された状態を示す。（Ｃ）は長手方向とは逆方向へ縮んだ状態を示す概略図。
図３（Ｄ）（Ｅ）は、図１、図２、図３（Ａ）〜（Ｃ）のフラットケーブルＣとは、第２シート材１１の構成に関わる点において異なる例を説明する為の概略図で、（Ｄ）は第１シート材10ｋと、同軸ケーブル13ｋと、第２シート材11ｋの相互の位置関係を説明する為の背面図、（Ｅ）は（Ｄ）のＥ−Ｅ線拡大断面図。
図４は、窓３３の屋外側から屋内側に亘って、フラットケーブル装置Ａを装着した状態を説明する為の概略横断面図（水平断面）で、引戸４５及び網戸５１は少し開いている状態を示す。（Ａ）は窓を横断して窓枠における下枠３５側を示す横断面図（壁と窓の一部を省略して示す）で、（Ｂ）は（Ａ）における凹部３９の部分拡大図。
図５は、窓３３の屋外側から屋内側に亘って、フラットケーブル装置Ａを装着した状態を説明する為の概略横断面図で、引戸４５及び網戸５１は閉じた状態を示す。（Ａ）は窓を横断して窓枠における下枠３５側を示す横断面図（壁と窓の一部を省略して示す）で、（Ｂ）は（Ａ）における凹部３９の部分拡大図。
図６は窓３３における縦枠３６の凹部３９部分を拡大して示す図で、縦枠３６に添って配設されたフラットケーブルＣが、万が一、縦枠３６における凹部３９の隅部４１でカーブを描いた状態（隅部の角部41ａから浮き上がった状態）で配設されてしまった場合の使用状態を説明する為の概略断面図。（Ａ）は引戸４５が開いた状態、（Ｂ）は引戸４５を閉じた状態を示す。
図７〜９は、図１〜図３のフラットケーブルＣとは、第２シート材１１の構成、第２シート材１１の第１シート材１０に対する接合に関わる点で異なる例を説明する為の図。図７は正面図で、二つのコネクタＢ、Ｂ間にはフラットケーブルCfが接続されている。フラットケーブルCfにおいて、10ｆは第１シート材を示す。11ｆは第２シート材、１４は第２シート材11ｆを第１シート材10ｆに接合する為の接着材、13ｆは同軸ケーブルで、第１シート材10ｆを破断して露出した状態を示す。
図８は、図７のVIII−VIII線拡大断面図で、フラットケーブル装置ＡにおけるフラットケーブルCfを説明する為の図。
図９は、フラットケーブルCfの動作を説明する為に第１シート材10ｆを除去した状態の概略正面図で、（Ａ）は常態を示し、（Ｂ）は長手方向２０，２０へ伸長された状態を示す概略図。
図１０は、図７〜図９のフラットケーブルCfとは、第１シート材10ｆと第２シート材11ｆとの接合一体化手段に関わる構成の点において異なる例を説明する為の概略図。（Ａ）は一部破断した正面図で、フラットケーブルCgにおいて、10ｇは第１シート材を示す。11ｇは第２シート材、13ｇは同軸ケーブル、14ｇは第２シート材11ｇを第１シート材10ｇに接合する為の接着材で、第１シート材10ｇを破断して露出した状態を示す。（Ｂ）は（Ａ）におけるXB−XB線端面図、（Ｃ）は一部破断した正面図で、フラットケーブルChにおいて、10ｈは第１シート材を示す。11ｈは第２シート材、13ｈは同軸ケーブル、14ｈは第２シート材11ｈを第１シート材10ｈに接合する為の接着材で、第１シート材10ｈを破断して露出した状態を示す。（Ｄ）は（Ｃ）におけるXD−XD線端面図。【００１４】
図１において、Ａはフラットケーブル装置を示す。Ｂはフラットケーブル装置Ａにおける周知のコネクタを示し、２、３、４、５は夫々、筺体（ケース）、フラットケーブルの接続部、接栓座、取付部を示す。取付部５は周知のように木ねじ５ａを用いて壁面に取付けるようなっている。
コネクタＢは、周知のように、接栓座４を利用して接続される伝送線（アンテナに連なる同軸ケーブル）から入力されるＴＶ用信号を、フラットケーブル接続部３に接続されたフラットケーブルＣへの出力を可能になっている。さらに、接続部３に接続されたフラットケーブルＣから入力されるＴＶ用信号を、接栓座４を利用して接続される伝送線・テレビ受像機に向けて出力できるようになっている。
Ｃは二つのコネクタＢ、Ｂ間に連結されたフラットケーブルを示す。【００１５】
本件のフラットケーブル装置ＡにおけるフラットケーブルＣは、図１〜３によく表れているように、テープ状の第１シート材１０と、上記第１シート材１０の一面10ｄに沿え付けてある同軸ケーブル１３と、上記第１シート材１０の一面10ｄに重合状に配置してある第２シート材１１とを備える。
上記第１シート材１０は、接続部３、３に接続した状態でそれらの間に配設してあり、その材質は、屈曲自在であると共に、長手方向２０、２０に伸長自在の材料で形成してある。長手方向２０、２０に伸長自在の材料としては、弾力的に伸長する周知の材料、例えばシリコンゴム、ブチルゴム、ポリ塩化ビニル（軟質ビニル）、ポリエチレンフォーム、アクリルフォームを用いればよい。
なお、上記説明においては第１シート材１０は、弾力的に伸長する例を説明したが、第１シート材１０としては、可塑的に伸長する材料を用いても良いし、また後述するように、非伸長の材料を用いてもよい。【００１６】
次に、上記第１シート材１０の一面10ｄに沿え付けてある同軸ケーブル１３は、例えば図１に示されるように、第１シート材１０における長手方向２０，２０に向けて蛇行状態になる態様で存置させてある。
上記同軸ケーブル１３としては、周知の構成、例えば、図２に示されるような芯線13ａ、絶縁体（例えばＦＥＰ）13ｂ、外部導体（テープ状の導体の巻付けによるシールド、金属箔での包囲、編組（銅編組）の被せ等）13ｃ、外被（絶縁体）13ｄで構成されるものを用いるとよい。このような芯線13ａの周囲に絶縁体13ｂを周設し、それの外周に外部導体13ｃを配置する同芯（同軸）構成のものは、同軸ケーブ（coaxial cable）と称されたり、また、シールド線（shielded cable）と称されたりして取引されている。従って、本件明細書、請求の範囲及び図面においては、これらの同芯構成のケーブルを単に同軸ケーブルと称する。
なお、利用に当たっては、図２の外被13ｄのない同芯構成のケーブルを用いることができる。
同軸ケーブル１３の蛇行状態としては、第１シート材１０の巾寸法Ｗ１：８mm〜20mm（例えば12mm）として、同軸ケーブル１３の山部Ｙ１と隣接する山部Ｙ２間の寸法（ピッチ）Ｐ１：10mm〜40mm（例えば15mm）、山部の高さＷ２：５mm〜16mm（例えば８mm）に設定すればよい。【００１７】
次に、上記第１シート材１０の一面10ｄに重合状に配置してある第２シート材１１は、第２シート材１１自身を第１シート材１０に接合すると共に、上記蛇行状態の同軸ケーブル１３が第１シート材１０から分離することを防止する状態で、第１シート材１０に接合してある。
具体的には、第１シート材の一面10ｄに対する第２シート材１１の重合状に配置された状態とは、第２シート材１１が同軸ケーブル１３を第１シート材１０に対して接合させる目的が達成されるものであればよい。
例えば、図１、２の如く、粘性の強い塑性材料（粘土状の態様を思わせる材料）で構成される第２シート材１１の巾寸法Ｗ６を、第１シート材１０の巾寸法Ｗ１に近い寸法に対応させて形成し、長手方向２０に連続的に配置して、第１シート材１０の一面に図２（A）のように重合状態に接合する。次に、塑性材の第２シート材１１に対して蛇行状態の同軸ケーブル１３を、図１に現れているような態様で埋め込む状態で配置する。この場合、先に第１シート材１０の一面に蛇行状態の同軸ケーブル１３を配置し、次に、塑性材の第２シート材１１を図１、２の如く、第１シート材１０の一面に重合状態で配置しても良い。塑性材料としては、接着力が強く、粘性のある材料が好ましく、例えば、エラストマー、ブチルゴム、ＥＰＤＭ（エチレンプロピレンジエンゴム）を用いてもよい。【００１８】
さらに、上記第１シート材１０の一面10ｄに重合状に配置してある第２シート材１１を、塑性材料でもって構成した場合には、上記蛇行状態になっている同軸ケーブル１３の両側において夫々同軸ケーブルの側面13ｅに接して位置させ、これにより、上記蛇行状態にある同軸ケーブル１３を、第１シート材１０の一面10ｄに対して長手方向２０，２０に伸長を可能な状態で連結してある。
この場合、図３（Ｄ）（Ｅ）に示すように、第２シート材１１ｋの巾寸法Ｗ６は、蛇行状態の同軸ケーブル１３の山部Y1と谷部Ｖ1との相互間の高さＷ２と略同寸法に形成してあってもよい。従って、第２シート材１１ｋの山部Y1、Y2の相互間にある構成部材と、谷部Ｖ1、Ｖ2の相互間にある構成部材とは、夫々第１シート材１０に接合（連結）されて一体化されると共に、蛇行状態の同軸ケーブル１３を両側から挟持状に保持接着することにより接合（連結）一体化してシート状になる。しかもこれらの構成部材は全体的に見ても図３（Ｄ）に見られるようにシート材の状態になる。
次に、第１シート材１０の一面10ｄに対して蛇行状態にある同軸ケーブル１３の第１シート材１０に対する伸長動作を説明する。
図３（Ａ）に示される常態から、第１シート材１０を長手方向２０、２０に伸長させた場合には、図３（Ｂ）に示されるように、第１シート材１０に接合された第２シート材１１も長手方向２０、２０に伸長する。それに伴い、同軸ケーブル１３は図３（Ａ）（Ｂ）に示されるように、弱い力で蛇行状態の曲率Ｒ１を曲率Ｒ２に変え、山部Ｙ１と山部Ｙ２との間のピッチは、図示の如く常態におけるピッチＰ１からＰ２に広がる。
次に、第１シート材１０の一面10ｄに対して蛇行状態にある同軸ケーブル１３は、図４（Ｂ）の窓枠３４における凸条の先部38ａにフラットケーブルＣを曲げ付けた場合には、第１シート材１０の内側に位置して次のように動作する。第１シート材１０が伸びにくい場合は、図３（Ａ）に示される常態から、図３（Ｃ）に示されるように、長手方向２０、２０とは逆方向に縮む。この場合、第１シート材１０に接合された第２シート材１１も縮む。それに伴い、同軸ケーブル１３は、図３（Ａ）（Ｃ）に示されるように弱い力で蛇行状態の曲率Ｒ１を曲率Ｒ３に変え、山部Ｙ１と山部Ｙ２との間のピッチは、図示の如く常態におけるピッチＰ１よりＰ３に狭まる。
第１シート材１０が伸び易い場合は、同軸ケーブル１３のピッチＰ１はあまり変化なく、同軸ケーブル１３は凸条の先部38ａに曲げ付けられる。
なお、上記説明においては第２シート材１１は、塑性材料で構成した例を説明したが、第２シート材１１としては、図７〜９及び図１０を用いて後述するように、弾力的に伸縮する材料を用いても良い。【００１９】
次に、以上のように構成されたフラットケーブルＣの厚みＴ５は、後述する窓３３における縦枠３６と引戸４５における框４６との間に存在する「すき間」に収る寸法に設定すれば良く、例えば、第１シート材１０の厚みＴ１：0.1〜0.2mm程度、第２シート材１１の厚みＴ２：1.0mm〜2.0mm程度、同軸ケーブル１３の直径Ｄ：1.0mm〜2.0mmとして、フラットケーブルＣの厚みＴ５：1.1mm〜2.2mm程度に設定すればよい。
なお、第２シート材１１の厚みＴ２を同軸ケーブル１３の直径と実質的に同寸法に構成した場合は、フラットケーブルＣの厚みＴ５をより薄くすることができる。
さらに、上記説明において第２シート材１１は、粘性の強い塑性材料（粘土状の態様を思わせる材料）で構成した例を説明したが、第２シート材１１の粘着力が弱い場合は、必要に応じて、壁面に対して接着することのできる周知の接着テープ１８を後述する図8のように備えさせてもよい。
さらに、必要時には、第２シート材１１の外面11ｃに両面接着テープを備えさせて利用するようにしてもよい。【００２０】
次に、図４〜図６において、３０、３１、３３は夫々壁、胴縁、窓を示す。３４は窓３３における窓枠を示し、３５、３５ａ、３５ｂは窓枠３４における下枠、下枠基板、レールを示す。３６は窓枠３４における縦枠、３７、３８、３９は縦枠基板、凸条（横揺れ防止板）、凹部を示す。
４５は窓３３に設置される引戸、４６は引戸４５の框、４７，４８,４９は框４６の前端面、引戸角部、ガラスを夫々示す。図5に示されるように引戸４６における框４６の巾寸法Ｗ５は、窓枠３４における縦枠３６の凹部３９の巾寸法Ｗ４よりも小さく形成されている。４４は縦枠３６の凸条面40ｂと、引戸の框４６との間に存在するすき間を示す。
図５（Ｂ）に示される４３は、窓３３における縦枠３６と、引戸４５における框４６との間に存在する「すき間」を示す。通常広く知られているように、窓における引戸には、引戸の開閉時に框における前端が窓枠に当たって損傷したり、耳障りな音をたてないように小さな戸当り片が取り付けられている。この戸当り片によってすき間４３が生じる。すき間４３の寸法は通常２〜３mm程度ある。【００２１】
上記構成のものを用いてフラットケーブル装置Ａを配設する作業について、図４を用いて説明する。通常行われるように、一方のコネクタＢを窓枠３４に近い屋外側の壁面30ａに装着する。次に、フラットケーブルＣを窓枠３４の屋外側から屋内側に向けて順々に窓枠３４の面に添わせながら配設していく。
この作業において、窓枠３４における凹部３９の面、即ち縦枠基板３７の面40ａとそれに直角に位置する二つの凸条３８、３８の夫々の面40ｂ、40ｂに対して、フラットケーブルＣを添わせて配設する作業を詳しく説明する。
工事人は、縦枠基板３７の面40ａに対して、フラットケーブルＣを添え付ける。この場合、第２シート材１１の外面11ｃに接着面保護の為に周知のように離けい紙があった場合には、それを予め除去し、接着面を表出させる。
次に、伸長自在にしてある柔らかいフラットケーブルＣを曲げながら、一方の隅部４１、例えば屋外側の隅部４１の角部41ａに対して、フラットケーブルＣを軽く押し当てて密着させ、屋外側の凸条３８の面40ｂに添わせる。引き続いて屋内側の隅部４１の角部41ａに対しても同様に、フラットケーブルＣを密着させて添え付け、さらに屋外側の凸条３８の屋外側の面40ｂに添わせる。
フラットケーブルＣを窓枠３４の面に添わせて配設した後は、通常行われるように、他方のコネクタＢを屋内側の壁面30ｂに装着すればよい。
上述したように、フラットケーブルＣにおける同軸ケーブル１３は、すでに曲がり易いように蛇行状態に曲がりくねらせてあるので、工事人は、安易に、隅部４１の角部41ａに接近した状態に曲げながら密着させて、凹部３９の面40ａ、40ｂ、40ｂに対してフラットケーブルＣを添わせる作業を迅速に行うことができ、作業能率が良くなる。
さらに、フラットケーブルＣの配設は、図示の如く窓枠凹部３９の隅部４１、４１の角部41ａ、41ａに対して綺麗に添った状態で配設でき、フラットケーブルＣを窓枠３４における縦枠３６と、引戸４５における框４６との間に存在するすき間４３に収めることができる。【００２２】
さらに、前述したように第２シート材１１は、粘性の強い塑性材料で構成したので、窓枠３４の面に対してフラットケーブルＣを添わせる作業において、上記蛇行状態の同軸ケーブル１３の屈曲の自由度をより一層高くできる。工事人は、フラットケーブルＣを添わせる場合の屈曲操作の度合いは、より軽くでき、これにより作業能率の向上が図ることができる。また、窓枠３４の面に対して添え付けられる第２シート材１１は、前述したように粘性の強い塑性材料で構成してあるので、窓枠３４の面に対して馴染み良く添え付けることができ、フラットケーブルＣの配設は、窓枠凹部３９の隅部４１、４１の角部41ａ、41ａに対して綺麗に添った状態で配設できる。【００２３】
次に、上記のようにフラットケーブル装置Ａを、窓枠３４に対して配設した状態で、引戸４５を閉める場合のフラットケーブルＣの状態について図４、５を用いて説明する。通常行われるように引戸４５を図４に示される矢印５２方向にスライドさせる。引戸４５は図５に示されるような閉状態（上述したように戸当り片が縦枠３６に当たって止まる状態）となる。
この状態において、縦枠３６の凹部３９の面に沿わせた状態で配設されたフラットケーブルＣは、すき間４３、４４の範囲内に収っているので、引戸４５の框４６による衝撃を受ける恐れはない。さらに、フラットケーブルＣは、上述したように窓枠凹部３９における隅部４１の面40ａ、40ｂにおいても、角部41ａに対して綺麗に添って配設されているので、引戸４５における框４６の角部４８、４８によって、傷つける恐れは少なく、フラットケーブルＣを長寿命で使用することができる。
もし仮に、窓枠凹部３９の隅部４１におけるフラットケーブルＣが、図６に示されるように角部41ａから浮き上がった状態で配設された場合について説明する。この状態で引戸４５を閉めても、上述したようにフラットケーブルＣは、二つのシート材１０，１１を長手方向に伸長自在の材料で形成すると共に、それらの間に介在させる同軸ケーブル１３は、弱い力で伸長可能に蛇行状にして、全体を長手方向に伸長自在、かつ折り曲げ容易となるように柔軟に構成してあるので、フラットケーブルＣは、図６（Ｂ）に示されるように引戸４５の框４６の前部４７に押されると、長手方向（図６における矢印５３方向）に伸長する。よって、引戸４５を反復開閉しても、引戸４５の框４６における角部４８、４８でフラットケーブルＣを傷めるおそれはなく、フラットケーブルＣを長寿命で使用することができる。【００２４】
次に、上記説明において第１シート材１０の材料として、弾力的に伸長する例を説明したが、要求に応じては、第１シート材１０は長手方向２０、２０に伸長自在の材料である必要はなく、非伸長の材料で、前述した第１シート材１０の屈曲自在の性質のみを備えるものであればよい。例えば、ポリエステル、ポリイミドを用いてもよい。
このような屈曲自在の性質のみを備える材料で構成した第１シート材を用いたフラットケーブルＣの作業態様について、図３〜図５を用いて説明する。
このフラットケーブルＣを備えるフラットケーブル装置Ａを配設する作業については、前述の図４を用いて説明したと同様に行なえばよい。
この配設作業において、窓枠３４における縦枠基板３７の面40ａとそれに直角に位置する二つの凸条３８、３８の夫々の面40ｂ、40ｂに対して、フラットケーブルを添え付け作業をする場合、フラットケーブルＣにおける同軸ケーブル１３は、すでに曲がり易いように蛇行状態に曲がりくねらせてあるので、工事人は、安易に、隅部４１の角部41ａに接近した状態にフラットケーブルＣを屈曲させながら密着させて、凹部３９の面40ａ、40ｂ、40ｂに対してフラットケーブルＣを添わせる作業を迅速に行うことができる。さらに、フラットケーブルＣの配設は、図示の如く窓枠凹部３９の隅部４１、４１の角部41ａ、41ａに対して綺麗に添った状態で配設でき、フラットケーブルＣを窓枠３４における縦枠３６と、引戸４５における框４６との間に存在するすき間４３に収めることができる。
次に、配設されるフラットケーブルＣにおける同軸ケーブル１３の状態は、次の通りである。凸条３８の先部38ａ部分においては、フラットケーブルＣは図４に示されるように屈曲し、凸条３８側に位置する同軸ケーブル１３側は、第１シート材１０に比較して長手方向２０とは逆方向に縮まる。同軸ケーブル１３は、前述の図３（Ｃ）を用いて説明した場合と同様に、蛇行状態の曲率Ｒ１を曲率Ｒ３に変え、山部Ｙ１と山部Ｙ２との間のピッチは、図示の如く常態におけるピッチＰ１よりＰ３に狭まる。この動作により、フラットケーブルＣを凸条３８に対して馴染みよく添わせることができる。
さらに、窓枠凹部３９の隅部４１、４１の角部41ａ、41ａの部分においては、フラットケーブルＣは図４に示されるように屈曲し、角部41ａ側に位置する同軸ケーブル１３側は、第１シート材１０に比較して長手方向に伸長することになる。同軸ケーブル１３は、前述の図３（Ｂ）を用いて説明した場合と同様に、蛇行状態の曲率Ｒ１を曲率Ｒ２に変え、山部Ｙ１と山部Ｙ２との間のピッチは、図示の如く常態におけるピッチＰ１よりＰ２に広がる。この動作により、フラットケーブルＣを凹部３９の角部41ａ、41ａにおいても馴染みよく添わせることができる。【００２５】
次に、図１〜３のフラットケーブルＣとは第２シート材１１に関わる構成の点において異なる例を示す図７〜９について説明する。
なお、図７〜図９において前述の図１〜図６のものと機能、性質、手段又は特徴等が同一又は均等と考えられる部分には、前述の図１〜図６と同一の数字符号を付し、それにアルファベットのｆを付して重複する説明を省略する。また次図（図１０（Ａ）、（Ｂ）、（Ｃ）、（Ｄ））及び前出の図３（Ｄ）、（Ｅ）のものにおいても同様の考えで、前述の図１〜図６と同一の数字符号を付し、それにアルファベットのｇ、ｈ、ｋを付して重複する説明を省略する。
図７〜９のテープ状の第１シート材10ｆと、テープ状の第２シート材11ｆは、夫々長手方向２０、２０に伸長自在の材料で形成してある。
具体的には、長手方向２０、２０に伸長自在の材料としては、弾力的に伸長する周知の材料、例えばシリコンゴム、ブチルゴム、ポリ塩化ビニル（軟質ビニル）、ポリエチレンフォーム、アクリルフォームを用いればよい。さらに、長手方向２０、２０に伸長自在の材料としては、可塑的に伸長する材料を用いても良い。【００２６】
上記第１シート材10ｆの一面10ｄに重合状に配置してある第２シート材11ｆは、図７〜９に示されるように、第２シート材11ｆを第１シート材10ｆに接合すると共に上記蛇行状態の同軸ケーブル13ｆが第１シート材10ｆから分離することを防止する状態で、第１シート材10ｆに接合してある。
具体的には、１４は、第１シート材10ｆと第２シート材11ｆとを接合する為の接着材を示す。接着材１４は図示のように、第１シート材10ｆの一端部10ａと第２シート材11ｆの一端部11ａとの間、及び第１シート材10ｆの他端部10ｂと第２シート材11ｆの他端部11ｂとの間に夫々長手方向に亘って介在している。これにより、第１シート材10ｆと第２シート材11ｆとの両側は接合されている。従って、第２シート材11ｆは、接着材１４でもって第１シート材10ｆに対して接合一体化されると共に、蛇行状態の同軸ケーブル13ｆを第２シート材11ｆと接着材１４とで取り囲むことにより、同軸ケーブル13ｆを第１シート材10ｆに対して一体化している。
なお、接着材１４としては、第１シート材10ｆと第２シート材11ｆが長手方向２０、２０に伸長 するのを妨げないような材料、例えば弾力的に伸長する周知の材料（変性シリコン、合成ゴム、天然ゴム、ポリエチレンフォーム、ブチルゴム等）を用いればよい。なお、接着材１４の粘着力が弱い場合は、必要に応じて、周知のプライマー処理を施したり、周知の粘着剤（例えば、アクリル系のり、両面テープ等）を用いたりすればよい。
さらに、上記テープ状の第１シート材10ｆとテープ状の第２シート材11ｆとは、図８によく示されるように中央部に空間16を残す状態で、それらの両側は接合一体化してある。
上記空間部１６には、図示のように上記同軸ケーブル13ｆを蛇行状態で存置させてあって、第１シート材10ｆ及び第２シート材11ｆを長手方向に伸長したとき、上記同軸ケーブル13ｆは、蛇行状態の曲率を変えながら第１シート材10ｆ及び第２シート材11ｆの伸長に対応するようにしてある。
次に、第１シート材10ｆ及び第２シート材11ｆを長手方向２０、２０に伸長したときに、上記同軸ケーブル13ｆが、蛇行状態の曲率を変えながら第１シート材10ｆ及び第２シート材11ｆの伸長に対応する動作を説明する。
図９（Ａ）に示される常態から、第１シート材10ｆ及び第２シート材11ｆを長手方向２０、２０に伸長させた場合には、図９（Ｂ）に示されるように、第１シート材10ｆ及び第２シート材11ｆの巾寸法Ｗ６はＷ３に狭まる。それに伴い、空間１６にある同軸ケーブル13ｆは、図９（Ａ）（Ｂ）に示されるように弱い力で蛇行状態の曲率Ｒ１を曲率Ｒ２に変え、山部Ｙ１と山部Ｙ２との間のピッチは、図示の如く常態におけるピッチＰ１よりＰ２に広がる。
なお、同軸ケーブル13ｆの空間部１６における存置状態は、空間部１６周囲に存在する接着材１４，１４，第１シート材10ｆ及び第２シート材11ｆの面に対して当接して存置してある例を図示したが、僅かな間隙を隔てて存置してもよい。
フラットケーブルＣの厚みＴ５は、前述したように、窓３３における縦枠３６と引戸４５における框４６との間に存在する「すき間」に収る寸法に設定すれば良く、例えば、第１シート材10ｆ、第２シート材11ｆの厚みＴ１、Ｔ２：0.1〜0.2mm程度、接着材１４の厚みＴ３：1.1mm程度、同軸ケーブル13ｆの直径Ｄ：1.0mm〜2.0mmとして、フラットケーブルＣの厚みＴ５：1.3mm〜2.4mm程度に設定すればよい。【００２７】
本件のフラットケーブルＣにおいて、上記第１シート材10ｆ又は第２シート材１１の外面には、必要に応じて壁面に対して接着することのできる接着テープ１８を備えさせている。
図８に表われる１８は第２シート材11ｆの外面11ｃに一体的に合着された接着テープの例を示す。さらに、必要時には、第１シート材10ｆ又は第２シート材11ｆの外面に両面接着テープを備えさせて利用するようにしてもよい。【００２８】
上記構成のものを用いてフラットケーブル装置Ａｆを配設する作業は、前述したフラットケーブル装置Ａの場合と同様にすればよい。
この配設作業において、窓枠３４における縦枠基板３７の面40ａとそれに直角に位置する二つの凸条３８、３８の夫々の面40ｂ、40ｂに対して、フラットケーブルを添え付け作業をする場合、上述したと同様にように、フラットケーブルCfは、長手方向に伸長自在に柔軟に構成してあるので、工事人は、凹部３９の面40ａ、40ｂ、40ｂに対してフラットケーブルCfを添わせる作業を迅速に行うことができ、作業能率が良くなる。さらに、フラットケーブルCfの配設は、図示の如く窓枠凹部３９の隅部４１、４１の角部41ａ、41ａに対して綺麗に添った状態で配設でき、フラットケーブルCfを窓枠３４における縦枠３６と、引戸４５における框４６との間に存在するすき間４３に収めることができる。【００２９】
次に、上記のようにフラットケーブル装置Afを、窓枠３４に対して配設した状態で、引戸４５を閉める場合のフラットケーブルCfの状態について図４、５を用いて説明する。通常行われるように引戸４５を図４に示される矢印５２方向にスライドさせる。引戸４５は図５に示されるような閉状態（上述したように戸当り片が縦枠３６に当たって止まる状態）となる。
この状態において、縦枠３６の凹部３９の面に沿わせた状態で配設されたフラットケーブルCfは、すき間４３、４４の範囲内に収っているので、引戸４５の框４６による衝撃を受ける恐れはない。さらに、フラットケーブルCfは、上述したように窓枠凹部３９における隅部４１の面40ａ、40ｂにおいても、角部41ａに対して綺麗に添って配設されているので、引戸４５における框４６の角部４８、４８によって、傷つける恐れは少なく、フラットケーブルCfを長寿命で使用することができる。【００３０】
次に、図７〜図９のフラットケーブルCfとは第１シート材と第２シート材１１の接合一体化手段の構成の点において異なる例を示す図１０について説明する。
図１０（Ａ）（Ｂ）の14ｇは第１シート材１０ｇと第２シート材１１ｇとを接合する為の接着材を示す。接着材14ｇの平面形状は、図１０（Ａ）の如く、第１シート材１０ｇと第２シート材１１ｇの両側（図における上側と下側）に対応する側は、第１シート材１０ｇと第２シート材１１ｇの両側に対応するように直線状に形成されている。一方、同軸ケーブル13ｇに対向する側は、蛇行状の同軸ケーブル13ｇの曲率の変化を可能にする間隙16ｇを残して同軸ケーブル13ｇの曲がりの度合に対応する形状になっている。さらに、接着材14ｇの厚み寸法Ｔ６は、同軸ケーブル13ｇの直径Ｄより小さい寸法に設定してある。
第１シート材１０ｇと第２シート材11ｇとは、図１０（Ｂ）に示されるように、接着材14ｇによって、中央部の同軸ケーブル13ｇの周囲に空間１６ｇを残す状態で接合一体化されている。【００３１】
図１０（Ａ）（Ｂ）のように構成したフラットケーブルＣにおける同軸ケーブル13ｇは、第１シート材１０及び第２シート材１１を長手方向２０、２０に伸長したときには、上述した図７〜９のフラットケーブルＣの場合と同様に、蛇行状態の曲率を変えながら第１シート材10ｇ及び第２シート材11ｇの伸長に対応する。
なお、第１シート材と第２シート材との接合一体化手段の構成は、図１０（Ｃ）（Ｄ）に示すようにしても良い。即ち、図１０（Ｄ）に良く表われるように第１シート材１０ｈと第２シート材１１ｈを同軸ケーブル13ｇに沿って膨らんだ状態で重合して接合するようにしてもよい。
上記構成のものを用いてフラットケーブル装置を配設する作業は、前述したフラットケーブル装置Ａの場合と同様にすればよい。
【図１】
2009054476.tif 000003
【図２】
2009054476.tif 000004
【図３】
2009054476.tif 000005
【図４】
2009054476.tif 000006
【図５】
2009054476.tif 000007
【図６】
2009054476.tif 000008
【図７】
2009054476.tif 000009
【図８】
2009054476.tif 000010
【図９】
2009054476.tif 000011
【図１０】
2009054476.tif 000012
【国際調査報告】
2009054476.tif 000013
2009054476.tif 000014
2009054476.tif 000015
2009054476.tif 000016